(57)【要約】【課題】金属粉の発生をなくして品質向上を図り、部品点数を削減すると共にねじ孔加工も不要としてコスト削減を図った永久磁石可動コイル形内器を実現する。【解決手段】円筒状のヨークと、該ヨーク内に配置され、円柱状のマグネット及びこのマグネットの外周に接して配置されたフレームを含んで構成されたマグネット組立と、弾性部材からなるスペーサからなり、前記マグネットとフレームが接する箇所の対向する位置の前記ヨークの内周と前記マグネットの外周の間に前記弾性部材からなるスペーサを配置したことを特徴とする。【選択図】  図１
2012255748.tif 000002
【特許請求の範囲】
【請求項１】
円筒状のヨークと、該ヨーク内に配置され、円柱状のマグネット及びこのマグネットの外周に接して配置されたフレームを含んで構成されたマグネット組立と、弾性部材からなるスペーサからなり、前記マグネットとフレームが接する箇所の対向する位置の前記ヨークの内周と前記マグネットの外周の間に前記弾性部材からなるスペーサを配置したことを特徴とする永久磁石可動コイル形内器。
【請求項２】
前記弾性部材からなるスペーサは板ばね、コイルばねを含むことを特徴とする請求項１に記載の永久磁石可動コイル形内器。
【請求項３】
前記弾性部材からなるスペーサの材質は金属、樹脂を含むことを特徴とする請求項１又は２に記載の永久磁石可動コイル形内器。
【発明の詳細な説明】
【技術分野】
【０００１】
本発明は、直動式指示電気計器等に搭載する狭角度内器を構成する永久磁石可動コイル形内器に関し、品質向上、コスト削減を図った永久磁石可動コイル形内器に関するものである。
【背景技術】
【０００２】
図２は本発明が適用される永久磁石可動コイル形内器１０の斜視図（ａ）、マグネット組立の斜視図（ｂ）およびマグネット組立の分解斜視図（ｃ）である。
図２（ａ）において、１０は永久磁石可動コイル形内器であり、１は円筒状のヨーク２の中に配置されたマグネット組立である。３はコイル組立であり、ヨーク２の内周とマグネット組立１の間に配置されている。
【０００３】
４は断面が鍵状に形成され一端がフレーム７の一端に接して固定されたレギュレータ、８はヨーク２の外周の中心付近に形成されたねじ孔にねじ込まれたねじである。フレーム７は連結部７ａの両端が同方向に９０度折り曲げられ断面コ字状に形成されている。
【０００４】
図２（ｂ）は永久磁石可動コイル形内器を構成するマグネット組立１を外部に取り出した状態を示すもので、ヨーク２の外周のねじ孔にねじ込まれたねじ８を緩めて取り出される。このマグネット組立１は円柱状のマグネット５の外周部をフレーム７の凸部７ａに接着した状態となっている。フレーム７の中央部分は外側から内側に向かって凹部７ｂが形成されており、この凹部の長さｔはマグネット５の高さｔ１と同程度に形成されている。
【０００５】
図２（ｃ）はマグネット組立１の分解図であり、マグネット組立１は円柱状のマグネット５と断面コ字状のフレーム７とスペーサ６で構成されている。即ち、マグネット組立１はヨーク２の内周とマグネット２の外周に接して配置されたスペーサ６を有しており、マグネット組立１はヨーク２内に配置された状態で、フレームの凹部７ｂがねじ８で押圧されマグネット５を介してスペーサ６に押し付けられた状態で固定されている。
【０００６】
スペーサ６の長さｔ３はマグネット５の厚さｔ４とほぼ同じ長さに形成されており、一方の面はマグネットの外周の円弧に合わせて形成され、他方の面はヨーク２の内周の円弧に合わせて形成されている。
【０００７】
また、高さｔ６はねじ８により押圧されたときにマグネットがぐらつかない程度の高さに形成されており、スペーサの厚さｔ５はねじ８ａをねじ込んでフレームの凹部７ｂを押圧したときにマグネット組立がヨーク２の中心に位置する程度の厚さに形成されている。
【０００８】
図３（ａ〜ｃ）は本発明が適用される永久磁石可動コイル形内器１０の組み立て工程を示す斜視図である。
工程（ａ）は外周の中央付近にねじ孔８が形成されたヨーク２にマグネット組立１を挿入する前の状態を示しており、この時点でフレーム７はマグネット５の両端に接着剤により固定されている。また、スペーサ６もヨークのねじ孔８ａに対向する側のマグネット５の周面に接着により固定されている。なお、図２（ａ）に示すコイル組立３は省略して示している。
【０００９】
工程（ｂ）はヨーク２にマグネット組立１が挿入され、ねじ孔８ａとフレームの凹部７ｂと位置が合致するように調整されねじ８をねじ込む前の状態を示している。
工程（ｃ）はねじ８をねじ孔８ａにねじ込んでヨーク２にマグネット組立１を固定した状態を示している。
【先行技術文献】
【特許文献】
【００１０】
【特許文献１】特開２００１−１７４４８３号公報
【特許文献２】特開２００７−３１８８５９号公報
【発明の概要】
【発明が解決しようとする課題】
【００１１】
ところで、図２，３に示す従来例においては、ねじをねじ込んでマグネット組立をヨークに押し付けて取付けている。
ねじをねじ込む場合はねじ８、ねじ孔８ａとも金属粉がでないように配慮しているが、完全には除去することができない場合がある。
【００１２】
また、ねじをねじ込む際にも摩擦により金属粉が生じる可能性があり、このような金属粉はモータとしての動作を妨げることとなる。
更にねじをねじ込む際には締め付けトルクにも気をつけねばならず手間がかかると共にねじ孔やねじを必要とするのでコストもかかる。という課題があった。
【００１３】
従って本発明は、金属粉の発生源そのものをなくして品質向上を図り、部品（ねじ）点数を削減すると共にねじ孔加工も不要としてコスト削減を図った図った永久磁石可動コイル形内器を実現することを目的としている。
【課題を解決するための手段】
【００１４】
本発明は上記課題を解決するためになされたもので、請求項１の永久磁石可動コイル形内器においては、
円筒状のヨークと、該ヨーク内に配置され、円柱状のマグネット及びこのマグネットの外周に接して配置されたフレームを含んで構成されたマグネット組立と、弾性部材からなるスペーサからなり、前記マグネットとフレームが接する箇所の対向する位置の前記ヨークの内周と前記マグネットの外周の間に前記弾性部材からなるスペーサを配置したことを特徴とする。
【００１５】
請求項２においては、請求項１に記載の永久磁石可動コイル形内器において、
前記弾性部材からなるスペーサは板ばね、コイルばねを含むことを特徴とする。
【００１６】
請求項３においては、請求項１又は２に記載の永久磁石可動コイル形内器において、
前記弾性部材からなるスペーサの材質は金属、樹脂を含むことを特徴とする。
【発明の効果】
【００１７】
以上説明したことから明らかなように本発明の請求項１〜３によれば、円筒状のヨークと、該ヨーク内に配置され、円柱状のマグネット及びこのマグネットの外周に接して配置されたフレームを含んで構成されたマグネット組立と、弾性部材からなるスペーサからなり、前記マグネットとフレームが接する箇所の対向する位置の前記ヨークの内周と前記マグネットの外周の間に前記弾性部材からなるスペーサを配置したので、金属粉の発生をなくして品質向上を図り、部品点数を削減すると共にねじ孔加工も不要としてコスト削減を図った永久磁石可動コイル形内器を実現することができる。
【図面の簡単な説明】
【００１８】
【図１】本発明の永久磁石可動コイル形内器の実施形態の一例を示す斜視図である。
【図２】従来の永久磁石可動コイル形内器の一例を示す斜視図である。
【図３】従来の永久磁石可動コイル形内器の組立工程を示す斜視図である。
【発明を実施するための形態】
【００１９】
図１（ａ〜ｄ）は本発明の実施形態の一例を示す斜視図である。
図１（ａ）において、マグネット５は従来と同様のものを使用する。断面コ字状のフレーム１７は図２に示す従来例とは連結部のみが異なり、連結部１７ａの内側（マグネットに接する側）に凸部１７ｂが形成されている。この凸部１７ｂのマグネット５に接する面はマグネットの外周に沿うように形成されている。
【００２０】
図１（ｂ）は円柱状のマグネット５の外周部をフレーム１７の凸部１７ｂに接着より固定した状態を示す斜視図である。
【００２１】
図１（ｃ）はヨーク１２にマグネット組立１１を挿入する前段の状態を示す斜視図である。図１（ｄ）はヨーク１２にマグネット組立１１を挿入しスプリング（スペーサ）９を挿入する前段の状態を示すもので、大きさは図２（ｃ）に示す従来例のスペーサとほぼ同様であるが、このスプリングは板ばね状に形成されヨーク１２の内周とマグネット５の外周に挿入された状態でヨーク１２の中心にマグネット組立１１を所定の力で支持できるように凸部１７ｂの高さと板ばねの厚さが形成されている。
【００２２】
上述構成によれば、マグネット組立をスプリングにより支持しているので、従来のようなねじが不要となりまたヨークに形成していたねじ孔も不要となる。
従って金属粉の発生源をなくすことができ品質向上を図ることができる。また、部品点数を削減することができ、ねじ孔加工も不要なのでコスト削減を実現するができる
【００２３】
なお、以上の説明は、本発明の説明および例示を目的として特定の好適な実施例を示したに過ぎない。例えば実施例では弾性部材として板ばねを用いたがコイルばねでもよく、要は弾性によりヨークの内周とマグネットの外周の間でマグネットを支持可能なものであれば良い。また、弾性部材の材質としては、プラスチック部材であっても良い。
従って本発明は、上記実施例に限定されることなく、その本質から逸脱しない範囲で更に多くの変更、変形を含むものである。
【符号の説明】
【００２４】
１，１１  マグネット組立
２        ヨーク
３        コイル組立
４        レギュレータ
５        マグネット
６        スペーサ
７        フレーム
７ａ      凸部
７ｂ      凹部
８        ねじ
８ａ      ねじ孔
９        弾性部材（スプリング）
１７      フレーム
１７ａ    連結部
１７ｂ    凸部
【図１】
2012255748.tif 000003
【図２】
2012255748.tif 000004
【図３】
2012255748.tif 000005